(57)【特許請求の範囲】
【請求項１】
与えられた画像データに基づいて、自動制御される刺しゅう枠内に形成可能な刺しゅう模様の制御用データを生成する刺しゅう制御用データ作成装置において、
刺しゅう範囲を超えた範囲の大型画像を複数の所定の刺しゅう範囲の画像が連続するように分割して、分割された複数の刺しゅう範囲の画像毎に複数の刺しゅう制御用データを生成し、前記複数の刺しゅう範囲毎に画像外の適宜な位置に刺しゅうを開始するためのスタート点及び当該刺しゅう範囲の刺しゅう縫いを終了してミシンを停止する縫終点を次の刺しゅう範囲を接続させるための接続点とする、結合用データを生成し、次の刺しゅう範囲には予め定めた刺しゅう枠の位置移動に基いて定められる、前記接続点に接続させるためのスタート点と刺しゅう縫いを終了してミシンを停止する縫終点との結合用データと前記複数の刺しゅう制御用データとを読出し可能に記憶部に記憶するようにしたことを特徴とする、大型画像の分割刺しゅうデータ生成装置。
【発明の詳細な説明】
【０００１】
【産業上の利用分野】
本発明は制御用データに基づき自動的に刺しゅうを可能にしたミシンに適用するため、所望の画像を読みとって刺しゅう制御用データに変換して記憶するようにした刺しゅうデータ生成装置に関するものである。
【０００２】
【従来の技術】
従来の刺しゅうが可能なるミシンは予め記憶されている中から選択された刺しゅう模様の制御用データに基づいて布を自動的に制御駆動して刺しゅうする形式のものと、所望の画像を刺しゅうの制御用データとして記憶して、その制御用データに基づいて布を自動的に制御駆動して刺しゅうする形式のものとかあり、いずれにしてもアーム機枠とベッド機枠とで構成される機枠を備えたミシンにおいては画像刺しゅう範囲が制限される為大型画像の刺しゅうが困難であった。
【０００３】
【発明が解決しようとする課題】
本発明は従来のミシンでは読取り不可能なる大型画像を読取って、読取った画像データを基にして刺しゅう制御用データに変換して、その制御用データにより大型画像の刺しゅうを可能にしようとするものである。
【０００４】
【課題を解決するための手段】
本発明は、与えられた画像データに基づいて、自動制御される刺しゅう枠内に形成可能な刺しゅう模様の制御用データを生成する刺しゅう制御用データ作成装置において、
刺しゅう範囲を超えた範囲の大型画像を複数の所定の刺しゅう範囲の画像が連続するように分割して、分割された複数の刺しゅう範囲の画像毎に複数の刺しゅう制御用データを生成し、前記複数の刺しゅう範囲毎に画像外の適宜な位置に刺しゅうを開始するためのスタート点及び当該刺しゅう範囲の刺しゅう縫いを終了してミシンを停止する縫終点を次の刺しゅう範囲を接続させるための接続点とする、結合用データを生成し、次の刺しゅう範囲には予め定めた刺しゅう枠の位置移動に基いて定められる、前記接続点に接続させるためのスタート点と刺しゅう縫いを終了してミシンを停止する縫終点との結合用データと前記複数の刺しゅう制御用データとを読出し可能に記憶部に記憶するようにしたことを特徴とする、大型画像の分割刺しゅうデータ生成装置とすることで課題を解決することができた。
【０００５】
【作用】
本発明は課題を解決するための手段の構成により、刺しゅう可能範囲毎の複数の刺しゅう制御用データと結合用データを形成することで、刺しゅう範囲を連続して大型画像を刺しゅう縫いすることができるという作用がある。
【０００６】
【実施例】
本発明の一実施例の構成を以下に述べると、図１に示す画像読取り装置１は本体２とスキャナ３とで成り、本体２とスキャナ３はコード４を介して電気的に接続されている。
【０００７】
前記本体２には前記スキャナ３を矢印方向に往復移動可能な読取盤５が設けられており、該読取盤上に画像載置部６が形成されている。本体２の読取盤５の隣接部表面には電源スイッチ７と液晶から成る表示部８と大型画像キー９とが設けられており、隣接部側面に記憶カード装着穴１０が設けられており、該記憶カード装着穴にはＲＯＭ、ＲＡＭカード(読出し及び書き込み可能な記憶カード)の如き記憶部材１１が着脱可能に装着し得るようになっている。
【０００８】
図２は大型画像１２であり、該大型画像を前記読取盤５の画像載置部６に載置出来る大きさ(縦Ｈ×横Ｈ)に切断したものか或は図３に示す如く適宜の大きさ(縦Ｈ×横Ｈ)の範囲内に写し取れる読取りシート(例えばフレキシブル透明紙)１３、１４に分割し、分割した読取りシートの夫々を並列させれば組合わせにより一つの大画像が構成されるよう部分的に画像を写しとったものを作成する。
【０００９】
図３の複数の分割画像を夫々スキャンする際は前記本体２に設けられた前記大型画像キー９を操作しておくことにより夫々の分割読取シート１３、１４を順次読取る際には該読取シートの適宜の座標位置にスタート位置となるスタート点Ｐと最終縫い目位置となる縫終点Ｏが自動的に制御用データとして記憶される。
【００１０】
図５に示すミシン２１はアーム機枠２２とベッド機枠２３とで構成され、該ベッド機枠の下側にベース機枠２４が設けられている。
【００１１】
前記アーム機枠２２内には駆動軸(図示せず)が回転可能に支持され、該駆動軸の回転に連動して針棒２５及び天秤(図示せず)等が往復運動せしめられるよう支持されている。更に針棒２５に平行な押え棒２６が支持され、該押え棒の下端には刺しゅう押え２７が取付けられている。
【００１２】
前記ベッド機枠２３には前記針棒２５につけられた針の針落点に下糸ボビンを保持する糸輪捕捉部及び送り歯運動機構(共に図示せず)が運動可能に支持されている。
【００１３】
前記ベース機枠２４には刺しゅう枠(後述)を駆動する為のＸ−Ｙ駆動機構(図示せず)が内蔵されており、該Ｘ−Ｙ駆動機構の一部を構成するキャリジの刺しゅう枠取付部２８が前記ベッド機枠２３の背面側にて運動可能に設けられている。
【００１４】
前記アーム機枠２２の上面には開閉自在な蓋部２９と上糸を保持する保持棒３０と交換用押え収納部３１とが設けられており、前記アーム機枠２２の前面には液晶からなる表示部３２とミシン機能の選択用操作キー３３及び模様選択用操作キー３４とが設けられ、更に前記ＲＯＭ、ＲＡＭカード１１を着脱可能な装着部３５が設けられている。
【００１５】
前記ミシン機枠２１は前記機能選択用操作キー３３の操作により本縫モードと刺しゅうモードのいずれかが選択出来るようになっており、本縫モードを選択すれば前記針棒２５に装着された針３６とベッド機枠内の糸輪捕捉部と送り歯運動機構との協働により上糸と下糸とで本縫縫目を形成し、刺しゅうモードを選択すれば前記ベース機枠２４に内蔵されたＸ−Ｙ駆動機構の運動により、キャリジの刺しゅう枠取付部２８に取付けた刺しゅう枠に張設した布Ｗ上に針棒と糸輪捕捉部との協働により刺しゅう縫を行う。
【００１６】
刺しゅう枠３７は外枠３８と内枠３９との組合せにより成り、外枠３８は一部で切断された環状をなし、切断部には両端部を接続し且つ環部を拡大縮小の調節可能な調節ネジ４０が設けられており、外枠３８の適宜な位置には前記キャリジの刺しゅう枠取付部２８に対し固着可能な取付腕４１が一体的に設けられており、該取付腕には長手の摺動穴４２が形成され、該摺動穴を貫通して適宜間隔を置いた２本のピン４３、４３と該両ピンの中間位置のネジ４４が配設されている。
【００１７】
前記ピン４３、４３は前記Ｘ−Ｙ駆動機構に設けられたキャリジの刺しゅう枠取付部２８の上面穴に端部を挿入しネジ４４は刺しゅう枠取付部２８の略中央に設けられたネジ穴に螺着して刺しゅう枠３７をキャリジに固着する。
【００１８】
ネジ４４を若干緩めればピン４３、４３の案内により長手の摺動穴４２の範囲内で移動が可能にされている。つまり本発明の刺しゅう枠３７をキャリジの取付部２８に対して最も右に寄せて固着して摺動溝４２に対するキャリジに挿入されるピン４３、４３の位置が図７の実線で示す位置に刺しゅうをすると実質刺しゅう運動範囲は縦Ｊ×横Ｌであり、それ以上に刺しゅう範囲を拡げたい場合は刺しゅう枠３７を横に距離Ｋのみずらすことにより刺しゅう範囲を横にＫだけ拡げることが可能になっている。
【００１９】
本発明は以上の如き構造であるから前記大型画像１２を複数に分割して前記画像読取り装置１で読取り可能な大きさの読取りシート１３、１４に写し、該読取りシートを順序通り前記画像読取り装置１の画像載置部６に載置する。
分割された大型画像に順次読取る場合は大型画像キー９をスイッチオンし、スキャナ３で複数の画像のシートを１枚づつ連続して読み取る。
【００２０】
読取られた画像の画像データは本体２内にて刺しゅう用の制御用データに変換され、制御用データは本体２に挿し込まれているＲＯＭ、ＲＡＭカードの記憶部材１１の記憶部に記憶される。前記大型画像キー９が操作されると画像データの他に画像外の共通なＸ線上の適宜な位置に刺しゅうのスタート位置となるスタート点Ｐと最終縫目位置となる縫終点Ｏとからなる結合データが自動的に作成されて記憶される。
【００２１】
分割された大型画像１２のそれぞれの画像の制御用データが記憶されているＲＯＭ、ＲＡＭカード１１を本体２から抜き取って、刺しゅうモードに切換えられているミシン２１のカード装着部３５に挿し込むことにより、ミシン２１の表示部３２内の記憶画像の各表示部４５には入力された大型画像１２の図形が表示される(図６参照)。
【００２２】
次に操作者が指先で記憶画像の各表示部４５を選択操作すると表示部３２内の選択表示部４６に選択された図形のみが表示され、同時にミシン２１が表示された図形の刺しゅうを形成可能な態勢になる。
【００２３】
次に図８のように刺しゅう枠３７に布Ｗを張り、該刺しゅう枠を摺動穴４２を介して矢印Ｘ方向に摺動させ、刺しゅう枠３７をキャリジ取付部２８に対し最も右側に寄せて固着し、次にミシンを運転すると分割入力した大型画像のうちの最初に入力した分割画像１３の刺しゅうがスタート点Ｐから始まって行われ縫終点Ｏまで縫いミシンが一時停止する。
【００２４】
刺しゅうは分割シート１３の画像に基づくもので被刺しゅう範囲が図７に示すスタート点Ｐから始まる縦Ｈ×横Ｈに示される広さの部分に行われる。
【００２５】
次に既に縫った分割シート１３に相当する前工程刺しゅうに隣接させて他の分割シート１４に相当する後工程刺しゅうをするために刺しゅう枠３７をネジ４４を弛めてキャリジ取付部２８に対し左方に距離Ｍだけ移動させる必要があるので布Ｗの前工程分割刺しゅうの縫終点Ｏ位置を既にＭだけ自動的に移動されている針の針落点である再スタート点Ｓ２の位置に移動させて合わせ、ネジ４４を締め刺しゅう枠３７をキャリジ取付部２８に固着する。
【００２６】
斯くの如き刺しゅう枠３７の移動工程のうちミシンの運転を再開させると、ミシン２１は大型画像の分割入力の２番目の画像１４の刺しゅうが再スタートＳ２の位置よりスタート点Ｐから始まって刺しゅうされ縫終点まで縫われて停止する。
【００２７】
分割の前工程刺しゅう１３と後工程刺しゅう１４は前工程刺しゅうの縫終点Ｏと後工程刺しゅうのスタート点Ｐとが一致させられているので２つの分割刺しゅうが結合され、然も図形が正確につながって大画像の刺しゅうとなる。
【００２８】
本発明は以上の如き構造及び作用をなすものであるから、大型画像１２を複数に分割して夫々の画像データを読取ると共に分割された各画像における共通のＸ方向に延びる一直線上にスタート点Ｐ及び縫終点Ｏが自動的に付加されている制御用データに基づいて縫われる複数の分割刺しゅうを夫々の分割刺しゅうの終了毎に刺しゅう枠を移動させて各分割刺しゅうの縫終点Ｏとスタート点Ｐとを一致させることにより図３に示される複数の分割シートの画像を読取って記憶される制御用データに基づく刺しゅうを図４に示す如き大型画像の刺しゅうに結合させることが出来るものである。
【００２９】
【効果】
本発明は以上の如く従来の読取り装置のスペースでは入力不可能なる大型画像を分割して読取り、夫々の画像データから制御用データに変換する際に各分割画像の制御用データに結合データを自動的に付加することにより、大型画像の分割刺しゅうデータを生成することができる。
このデータは刺しゅう枠をキャリジに対し摺動可能にして複数の刺しゅうを合わせることにより、大型画像の刺しゅうを可能にしたものであり、刺しゅうは図形が大型化する程見栄えが比躍的に向上するものである為実用上効果が著しく大なるものである。
【図面の簡単な説明】
【図１】本発明の画像読取り装置の斜視図
【図２】本発明により読取ろうとする大画像の平面図
【図３】本発明により読取ろうとする大画像の読み取り可能な大きさに分割した状態を示す平面図
【図４】本発明による刺しゅうの平面図
【図５】本発明によるミシンの斜視図
【図６】本発明によるミシンの表示部の平面図
【図７】本発明によるミシンの刺しゅう枠の平面図
【図８】本発明により刺しゅう枠に保持された布に刺しゅうをしている状態の斜視図である。
【符号の説明】
刺しゅう枠…３７
スタート点…Ｐ
縫終点…Ｏ
記憶部…１１
【図１】
0003756763.tif 000002
【図２】
0003756763.tif 000003
【図３】
0003756763.tif 000004
【図４】
0003756763.tif 000005
【図５】
0003756763.tif 000006
【図６】
0003756763.tif 000007
【図７】
0003756763.tif 000008
【図８】
0003756763.tif 000009